(57)【要約】【課題】視野角制限シートの極視野カットオフ角を簡易に小さくして覗き見防止効果を高めることが可能な表示装置、およびかかる表示装置を備える情報入力装置ほか各種機器を提供する。【解決手段】パターンシート４０は遮光性であり、光源１０の前面側に配置され、所定の形状の複数の光開口部４２が分散して形成されている。視野角制限シート６０はパターンシート４０の前面側に配置され、透過領域６２と不透過領域６４とが所定のピッチで繰り返して形成されており、透過領域６２を透過する光Ｌの視野角を所定の極視野カットオフ角φ以下に制限する。光路長形成部５０はパターンシート４０と視野角制限シート６０との間に設けられ、パターンシート４０の光開口部４２と視野角制限シート６０の透過領域６２との間に光路長Ｐを設けることにより、表示装置１００の視野角θを極視野カットオフ角φよりも小さく制限する。【選択図】図２
2015191093.tif 000002
【特許請求の範囲】
【請求項１】
光を放射する光源と、
前記光源の前面側に配置され、所定の形状の複数の光開口部が分散して形成された遮光性のパターンシートと、
前記パターンシートの前面側に配置され、透過領域と不透過領域とが所定のピッチで繰り返して形成されており前記透過領域を透過する光の視野角を所定の極視野カットオフ角以下に制限する視野角制限シートと、
前記パターンシートと前記視野角制限シートとの間に設けられ、前記光開口部と前記透過領域との間に光路長を設けることにより前記視野角を前記極視野カットオフ角よりも小さく制限する光路長形成部と、
前記視野角制限シートの前面側に配置された光透過性の保護シートと、
を備える表示装置。
【請求項２】
前記光路長形成部は、前記視野角制限シートよりも厚み寸法が大きい光透過性のスペーサ部材である請求項１に記載の表示装置。
【請求項３】
前記光路長形成部は、前記光源が放射する前記光と同色系の有色のスペーサ部材である請求項１または２に記載の表示装置。
【請求項４】
前記光源は、前記光開口部の開口方向を光軸方向とする複数の発光ダイオードを含み、
前記パターンシートの背面側に配置され、前記発光ダイオードを個々に収容する収容凹部を有するとともに前記発光ダイオードが放射する光を前記光軸方向に集光する収容プレートを更に備える請求項１から３のいずれか一項に記載の表示装置。
【請求項５】
前記視野角の制限方向にみて、前記光開口部の開口幅が前記視野角制限シートにおける前記透過領域の前記ピッチの３倍以上である請求項４に記載の表示装置。
【請求項６】
前記視野角の制限方向にみて、前記発光ダイオードの外縁と前記光開口部の前面側の内縁とを結ぶ直線と、前記光軸方向と、の為す角が前記極視野カットオフ角よりも小さい請求項４または５に記載の表示装置。
【請求項７】
請求項１から６のいずれか一項に記載の表示装置と、
前記光源から放射された前記光を透過させ、タッチ操作により情報の入力を受け付けるセンサシートと、
を備える情報入力装置。
【請求項８】
前記センサシートが前記パターンシートよりも背面側に配置されている請求項７に記載の情報入力装置。
【請求項９】
請求項７または８に記載の情報入力装置と、
前記情報入力装置を前面に保持する筐体と、
前記筐体の内部に設けられた、商品を収容する商品収容部および収容された前記商品を前記筐体の前面側に払い出す商品払出機構と、を備える自動販売機。
【請求項１０】
周囲の照度を検知する照度センサーと、前記照度センサーの検知結果に基づいて前記光源の光度を増減調整する調整部と、を備え、
前記調整部は、検知された前記照度と正の相関をもって前記光度を増減調整する請求項９に記載の自動販売機。
【請求項１１】
前記タッチ操作により前記センサシートに入力された入力情報を保持する情報保持部と、
暗証コードおよび暗号化された生年月日情報を記憶するＩＣカードから前記暗証コードを読み取るコード読取部と、
前記情報保持部に保持された前記入力情報と、前記コード読取部に読み取られた前記暗証コードと、を照合する照合部と、を備え、かつ、
前記コード読取部は、前記照合部の照合結果に基づいて復号された前記生年月日情報を取得し、
取得された前記生年月日情報に基づいて前記ＩＣカードの保有者の成人認証を行う成人認証部を更に備えることを特徴とする請求項９または１０に記載の自動販売機。
【請求項１２】
前記商品がたばこ商品である請求項１１に記載の自動販売機。
【発明の詳細な説明】
【技術分野】
【０００１】
本発明は、文字、図形または記号などが発光表示される表示装置、かかる表示装置を備えるタッチ式の情報入力装置、およびかかる情報入力装置を備える自動販売機に関する。
【背景技術】
【０００２】
現金自動支払い機や現金自動預け払い機（以下、自動取引装置という場合がある）のほか、各種施設や建物への入構ゲートなどでは、本人確認や入構資格の確認のため暗証番号の情報入力とその照合確認が行われている。この種の情報入力装置のほか、モバイル機器や航空機内の座席モニターなど各種の表示装置には、情報セキュリティやプライバシー保護のため、正面を中心とする所定の角度範囲のみに視野角を制限して斜方からの覗き見を防止する視野角制限が行われている。
【０００３】
視野角制限のための簡易な構造としては、画面の左右両側に衝立を高く立設して斜方からの視線を遮断するものがある。しかし、視野角を十分に制限するためには高い衝立が必要であるため、衝立を設けるのは自動取引装置のような据置型の装置であって前面に十分な空間が存在する場合に限られるという課題がある。
【０００４】
他の視野角制限の手段として、光の透過領域と不透過領域とをスリット状やマトリクス状などに微細にパターニングした視野角制限シートが提供されている。かかる視野角制限シートを表示装置や情報入力装置の内部や前面に設置することで、機器の突出寸法を抑制して視野角を制限することが可能になる。
【０００５】
この種の技術に関し、特許文献１にはタッチセンサー式のキーボードパネルを備えるデータ入力装置において、入力キー画像を覆って視野角を制限する光学偏光板を設けることが記載されている。光学偏光板は、正面から入力キー画像を見たときには十分に光を透過させて明るく表示し、横斜め方向からこれを見たときには光を遮蔽して暗く表示させる部材であり、入力キー画像表示面の前面に接して装着されている。
【０００６】
特許文献２には、自動取引装置の表示画面の前面に遮光フィルタを装着し、この遮光フィルタの前面に透明な保護板を設置することが記載されている（特許文献２：図３を参照）。このほか特許文献２には、自動取引装置の操作表示部近傍の照度を検知して、照度が低い場合には光源から照射する光の輝度をより高くするように制御することが記載されている（特許文献２：図２１を参照）。これにより、周囲輝度が低い環境でも、表示部からの斜め方向の光を光源から照射される光で相殺することができるとされている。
【０００７】
特許文献１の光学偏光板や特許文献２の遮光フィルタの例として、特許文献３に記載された光制御フィルム（視野角制限シート）を挙げることができる。特許文献３の光制御フィルムは、外面に微細なチャネルが刻み込まれた円筒形の金属ロールを透明フィルムの表面に押し当てて微細なスリット状の深い空隙を所定のピッチで多数形成し、この空隙にカーボンブラックなどの光吸収材料を充填してなる。吸収領域の断面は縦長の台形状をなしており、縦横比（吸収領域の幅に対する高さ）は１．７５から３．０程度である。これにより、平行に立設された微細な吸収領域が透過光に対するルーバー機能を発揮するため、光制御フィルムを通過する光の角度範囲（極視野カットオフ角）が制限される。特許文献３の光制御フィルムによれば、フィルム法線方向を零度とする全頂角であらわされる極視野カットオフ角は４０度から９０度程度とされている。
【先行技術文献】
【特許文献】
【０００８】
【特許文献１】特開２００１−２２８９７０号公報
【特許文献２】特開２０１２−００８７００号公報
【特許文献３】特表２０１１−５０８２６２号公報
【発明の概要】
【発明が解決しようとする課題】
【０００９】
情報セキュリティやプライバシー保護の更なる要請から、表示装置や情報入力装置に対する視野角制限をより向上して覗き見を防止することが望まれている。特許文献３に例示される視野角制限シートにおいて視野角制限を向上するためには、透過領域を更に細幅にするかまたは吸収領域の縦横比を更に大きくして、極視野カットオフ角を小さくする必要がある。しかしながら、透過領域を細幅にした場合は光の透過量が減少するため表示の視認性が低下するか、または同等の視認性を維持するためには発光量を増大させる必要があり消費エネルギーが増大する。また、吸収領域の縦横比を更に大きくすることは、微細なスリット状の空隙を特殊な製造方法で作製する必要があるなど困難を伴う。
【００１０】
本発明は上述のような課題に鑑みてなされたものであり、視野角制限シートの極視野カットオフ角を簡易に小さくして覗き見防止効果を高めることが可能な表示装置、およびかかる表示装置を備える情報入力装置ほか各種機器を提供するものである。
【課題を解決するための手段】
【００１１】
本発明によれば、光を放射する光源と、前記光源の前面側に配置され、所定の形状の複数の光開口部が分散して形成された遮光性のパターンシートと、前記パターンシートの前面側に配置され、透過領域と不透過領域とが所定のピッチで繰り返して形成されており前記透過領域を透過する光の視野角を所定の極視野カットオフ角以下に制限する視野角制限シートと、前記パターンシートと前記視野角制限シートとの間に設けられ、前記光開口部と前記透過領域との間に光路長を設けることにより前記視野角を前記極視野カットオフ角よりも小さく制限する光路長形成部と、前記視野角制限シートの前面側に配置された光透過性の保護シートと、を備える表示装置が提供される。
【００１２】
上記発明によれば、パターンシートの光開口部を通過した光が、光路長形成部により設けられた所定の光路長を通過してから視野角制限シートの透過領域に入射する。このため、表示装置を前方に離間した目視位置から見たときに、光開口部を通過した光のうち視野角制限シートへの入射角度が抑制された光が透過領域を透過して上記の目視位置に到達する。これにより上記発明によれば、視野角制限シートを透過する光の視野角を、視野角制限シートが固有に備える極視野カットオフ角よりも小さな角度に制限することが可能である。
【００１３】
また、本発明によれば、上記の表示装置と、前記光源から放射された前記光を透過させ、タッチ操作により情報の入力を受け付けるセンサシートと、を備える情報入力装置が提供される。
【００１４】
本発明によれば、上記の情報入力装置と、前記情報入力装置を前面に保持する筐体と、前記筐体の内部に設けられた、商品を収容する商品収容部および収容された前記商品を前記筐体の前面側に払い出す商品払出機構と、を備える自動販売機が提供される。
【発明の効果】
【００１５】
本発明の表示装置およびこれを備える情報入力装置ほか各種機器によれば、視野角制限シートの極視野カットオフ角を簡易に小さくして覗き見防止効果を高めることが可能である。
【図面の簡単な説明】
【００１６】
【図１】本発明の実施形態にかかる表示装置の一例を示す断面模式図である。
【図２】（ａ）は比較例にかかる表示装置の視野角を示す模式図であり、（ｂ）は本発明の実施形態にかかる表示装置の視野角を示す模式図である。
【図３】透過領域を透過する光を示す模式図である。
【図４】（ａ）は本発明の実施形態にかかる情報入力装置の一部切欠斜視図であり、（ｂ）は情報入力装置の内部構造を示す一部切欠斜視図である。
【図５】情報入力装置の分解斜視図である。
【図６】本発明の実施形態にかかる自動販売機の一例を示す正面図である。
【図７】自動販売機の機能ブロック図である。
【発明を実施するための形態】
【００１７】
以下、本発明の実施形態を図面に基づいて説明する。尚、すべての図面において、同様の構成要素には同様の符号を付し、重複する説明は適宜省略する。
【００１８】
なお、以下の説明では前後左右上下の方向を規定する場合があるが、これは構成要素の相対関係を説明するために便宜的に規定するものであり、本発明にかかる装置の製造時や使用時の方向を必ずしも限定するものではない。
また、以下の説明において「シート」とは、主面の縦寸法または横寸法に比べて厚み寸法が小さい層状であることを意味し、フィルムやプレートなどの意味を包含する。
【００１９】
＜表示装置＞
図１は、本発明の実施形態にかかる表示装置１００の一例を示す断面模式図である。図２（ａ）は比較例にかかる表示装置２００の視野角θ１を示す模式図であり、図２（ｂ）は本発明の実施形態にかかる表示装置１００の視野角θを示す模式図である。
【００２０】
はじめに、表示装置１００の概要について説明する。以下の説明において、表示装置１００の前面側とは光Ｌの出力方向であり、図１および図２（ｂ）の左側を意味する。また、表示装置１００の背面側とは前面側の反対側であり、図１および図２（ｂ）の右側を意味する。
【００２１】
表示装置１００は、光（可視光）Ｌを放射する光源１０、パターンシート４０、視野角制限シート６０、光路長形成部５０および保護シート７０を備えている。
パターンシート４０は遮光性であり、光源１０の前面側に配置され、所定の形状の複数の光開口部４２が分散して形成されている。
視野角制限シート６０はパターンシート４０の前面側に配置されている。視野角制限シート６０は、透過領域６２と不透過領域６４とが所定のピッチで繰り返して形成されており、透過領域６２を透過する光Ｌの視野角を所定の極視野カットオフ角φ以下に制限する。
保護シート７０は光透過性であり、視野角制限シート６０の前面側に配置されている。
そして、光路長形成部５０はパターンシート４０と視野角制限シート６０との間に設けられている。光路長形成部５０は、パターンシート４０の光開口部４２と視野角制限シート６０の透過領域６２との間に光路長Ｐを設けることにより、視野角θを極視野カットオフ角φよりも小さく制限する。
【００２２】
以下、表示装置１００を詳細に説明する。
【００２３】
表示装置１００は、光源１０が放射する光Ｌによって文字、図形または記号などの表示要素を所定の輝度で点灯表示する機能（表示機能）を少なくとも有する装置である。このほか、タッチ操作や、マウスまたはキーボードなどの情報入力手段からの入力操作を受け付ける情報入力装置としての機能（情報入力機能）を有していてもよく、更に音声出力機能や、現金または商品などの払出機能を有していてもよい。本実施形態では、簡単のため表示装置１００の表示機能を実現する構成要素のみを説明する。
【００２４】
光源１０は、光Ｌとして少なくとも可視光線を放射する。光源１０は、可視光線に加えて赤外線や紫外線を放射してもよい。以下、断りなく「光」という場合は可視光線を意味する。また、「光透過性」とは光Ｌ（可視光線）を人間が視認可能な程度の光強度で通過させることをいい、透明または透光性を有する状態をいう。「遮光性」および「不透過性」とは光Ｌ（可視光線）を人間が視認困難な程度の光強度まで遮蔽可能であることをいう。
【００２５】
本実施形態の光源１０は、発光ダイオード１２と、この発光ダイオード１２に給電する基板１４とを備えている。このほか光源１０としては、有機エレクトロルミネッセンス（有機ＥＬ）デバイスや冷陰極管を用いてもよい。発光ダイオード１２は集光レンズ（図示せず）を備えており、指向性を有している。発光ダイオード１２の光軸方向は、表示装置１００の表示方向（図１の左向き）である。これに代えて、光軸方向が表示装置１００の面内方向（図１の上下方向）になるように発光ダイオード１２を実装するとともに、発光ダイオード１２が放射した光Ｌを散乱または表示方向に反射させる導光板（図示せず）を組み合わせて用いてもよい。
【００２６】
基板１４は、複数の発光ダイオード１２にそれぞれ給電する配線パターン（図示せず）と、発光ダイオード１２への給電量を制御する調整部９２（図７を参照）と、が設けられている。このほか、基板１４には、センサシート３０（図４を参照）へのタッチ操作を検出する情報解析部１３１（図７を参照）が設けられている。本実施形態の発光ダイオード１２は基板１４の前面側に実装され、基板１４の法線方向を光軸方向としている。パターンシート４０の光開口部４２は、発光ダイオード１２の光軸方向に貫通形成されている。
【００２７】
すなわち、本実施形態の光源１０は、光開口部４２の開口方向を光軸方向とする複数の発光ダイオード１２を含む。また、本実施形態の表示装置１００は収容プレート２０を備えている。収容プレート２０は、パターンシート４０の背面側に配置されており、発光ダイオード１２を個々に収容する収容凹部２２を有するとともに、発光ダイオード１２が放射する光Ｌを光軸方向に集光する。
【００２８】
収容プレート２０の厚み寸法は、発光ダイオード１２の高さ寸法よりも大きい。収容プレート２０は基板１４の前面側に配置され、収容凹部２２は発光ダイオード１２の実装位置に対応して形成されている。収容プレート２０は、発光ダイオード１２を収容する空隙部である収容凹部２２と、光Ｌを吸収または反射する遮光部２４と、が配列して形成されている。収容凹部２２に発光ダイオード１２を収容することで、発光ダイオード１２を物理的に保護するとともに、発光ダイオード１２から放射された拡散光を、収容凹部２２に隣接する遮光部２４で全反射または遮蔽する。これにより、図２（ｂ）を用いて後述するように、発光ダイオード１２が放射した光Ｌは集光されて視野角θを好適に抑制することができる。遮光部２４は、光透過性の収容プレート２０の前面に黒色印刷層を形成してもよく、または収容プレート２０を構成する樹脂材料にカーボンブラックなどの吸光性の粒子を分散させることにより収容プレート２０の厚み全体に遮光性を付与してもよい。
【００２９】
パターンシート４０は遮光性であり光開口部４２が光学的に開口して形成されている。光学的に開口しているとは、光Ｌの通過可能な光透過性の領域が局所的に形成されていることをいう。光開口部４２は光透過性であり、物理的な空隙としてパターンシート４０に貫通形成されていてもよく、または光開口部４２は透明樹脂または半透明樹脂などの光透過性の材料で充填されていてもよい。本実施形態のパターンシート４０は、アクリル樹脂やＰＥＴ（ポリエチレンテレフタレート）樹脂に拡散剤を分散させた乳白色などの半透明樹脂からなるシート体の前面に、光開口部４２をパターン形成した黒色印刷層を塗工して遮光領域４４を形成したものである。すなわち、本実施形態の光開口部４２は、シート体を構成する半透明樹脂で充填されている。光開口部４２を半透明（乳白色）材料で充填することにより、パターンシート４０の背面側に位置する発光ダイオード１２の外形を視認困難とし、光開口部４２の開口全体から光Ｌを通過させる。なお、パターンシート４０よりも前面側に配置される光路長形成部５０、視野角制限シート６０（透過領域６２）および保護シート７０は、光Ｌの散乱および吸光を防止するため透明材料で作製することが好ましい。
【００３０】
光開口部４２は、１個または複数個が合わさって、文字、図形または記号などの表示要素４６（図４（ｂ）を参照）を構成する。パターンシート４０の背面側から光Ｌを放射することで、表示装置１００の前面に正対するユーザは表示要素４６の形状の発光を視認することができる。したがって、パターンシート４０の光開口部４２の背面全体に光源１０からの光Ｌが照射されることが好ましい。本実施形態の複数の表示要素４６は、少なくとも点灯状態において、ユーザが目視にて互いに識別可能な形状に形成されている。
【００３１】
光源１０の発光ダイオード１２は、光開口部４２に対して１対１に設けられてもよく、または複数個の光開口部４２に対して１個の発光ダイオード１２が設けられてもよい。また、１個の光開口部４２に対して複数個の発光ダイオード１２が設けられてもよい。
光源１０は、予め定められたタイミングで複数個の発光ダイオード１２の一部または全部を点灯または点滅させる。これにより、１個または複数個の表示要素４６が固定表示または変動表示される。
【００３２】
本実施形態では、パターンシート４０の光開口部４２と収容プレート２０の収容凹部２２とは同一の寸法および形状であり、光開口部４２と収容凹部２２は位置合わせされている。これにより、収容プレート２０の収容凹部２２を通過する光Ｌの全量がパターンシート４０の光開口部４２に導入される。また、収容プレート２０の遮光部２４とパターンシート４０の遮光領域４４とで発光ダイオード１２の拡散光を遮蔽し、光Ｌをより集光することができる。
【００３３】
視野角制限シート６０は、透過領域６２と不透過領域６４とが所定のピッチで繰り返して形成された偏光シートである。透過領域６２を透過する光Ｌの視野角は、不透過領域６４のルーバー機能により、透過領域６２の繰り返し方向に所定の極視野カットオフ角φ以下に制限される。以下、透過領域６２の繰り返し方向を視野角制限方向という。視野角制限方向に並ぶ透過領域６２のピッチは５０μｍ以上１００μｍ以下とすることができる。
【００３４】
図１では、視野角制限シート６０の全厚さに亘って不透過領域６４が形成されている態様を例示しているが、これに限られない。不透過領域６４は、視野角制限シート６０の一部厚さに形成してもよい。この場合、不透過領域６４を視野角制限シート６０の前面側に形成することで視野角制限効果がより良好に発揮される。
【００３５】
ここで、視野角θとは、表示装置１００の法線を含み視野角制限方向に延在する平面内において、ユーザの視線方向と表示装置１００の法線との為す角である。表示装置１００に正対してこれを目視する場合の視野角θを零度として、視野角θは最大９０度までの範囲をとる半幅角である。
極視野カットオフ角φとは、視野角制限シート６０が固有に備える視野角制限機能を表す指標である。具体的には、表示装置１００を視野角制限方向の斜め前方から斜方視した場合に光源１０の発光を視覚的に認識できなくなる視野角（半幅角）であり、零度から９０度の範囲をとる。
【００３６】
視野角制限シート６０は、一例として、特許文献３に記載された手法で作製することができる。透過領域６２はアクリル樹脂やポリカーボネート樹脂などの透明樹脂材料からなり、不透過領域６４はカーボンブラックなどの吸光性の材料を含んでいる。
【００３７】
透過領域６２の繰り返し方向は一方向でもよく、または直交する二方向でもよい。すなわち、透過領域６２はスリット状に形成されて一方向に繰り返して形成されたものでもよく、またはマトリクス状に繰り返して二次元配列されたものでもよい。言い換えると、視野角制限方向は１方向でもよく、または直交する２方向でもよい。図２（ｂ）において透過領域６２の繰り返し方向は上下方向であり、これは表示装置１００の幅方向にあたる。視野角制限シート６０を透過する光Ｌは上下方向に視野角θに制限される。
【００３８】
極視野カットオフ角φは、視野角制限シート６０自体の特性のみならず、光源１０の光度、光源１０（発光ダイオード１２）の指向特性、表示装置１００の周囲の照度、および視野角制限シート６０と光源１０（発光ダイオード１２）との距離などのパラメータによって変化する。たとえば視野角制限シート６０の透過領域６２からの漏れ光の強度が一定であったとしても、明所視と暗所視では光源１０の発光の視認性に差異が生じる。したがって、表示装置１００における極視野カットオフ角φを視野角制限シート６０単体で測定することは困難である。本実施形態においては、表示装置１００の極視野カットオフ角φとは、光路長形成部５０を用いずに測定した視野角、すなわち図２（ａ）に示す比較例の表示装置２００における視野角θ１として測定される。具体的には、表示装置２００の使用環境（明所または暗所）において、視野角を変化させながら表示装置２００を斜方視することで、光源１０の発光を視覚的に認識できなくなる角度（極視野カットオフ角φ）を測定することができる。
【００３９】
図２（ａ）に示す比較例の表示装置２００においては、視野角制限シート６０の背面にパターンシート４０および収容プレート２０が密着して装着されている。この場合、発光ダイオード１２から放射された光Ｌは、半透明材料からなる光開口部４２で拡散して透過領域６２に入射する。かかる光Ｌは、視野角θ１（＝φ）以下に制限されて表示装置２００の前面に放射される。
【００４０】
これに対し、図２（ｂ）に示すように、パターンシート４０と視野角制限シート６０との間に光路長形成部５０を設けることにより、表示装置１００の視野角θは視野角制限シート６０の極視野カットオフ角φよりも小さくなる。これは、パターンシート４０の光開口部４２と視野角制限シート６０の透過領域６２との間に光路長Ｐが設けられたことで、個々の透過領域６２に対する光Ｌの入射角度（光Ｌの進行方向と透過領域６２の開口方向との為す角）が小さくなることに起因する。本実施形態の表示装置１００は、視野角制限シート６０の背面側に光路長Ｐが形成されたことで、比較例の表示装置２００に比べて、光Ｌは多数の透過領域６２に拡散して入射する。一方で、個々の透過領域６２を透過する角度は極視野カットオフ角φ以下に制限されているため、図２（ｂ）に破線で示すように、視野角制限シート６０の極視野カットオフ角φに相当する光Ｌ１は不透過領域６４で遮光される。結果として表示装置１００の視野角θは極視野カットオフ角φよりも小さくなる。
【００４１】
特に、本実施形態の光源１０は、指向性を有する発光ダイオード１２を発光体とし、その光軸方向は光開口部４２および透過領域６２の開口方向と一致している。更に、発光ダイオード１２からの拡散光は収容プレート２０の遮光部２４およびパターンシート４０の遮光領域４４で遮蔽されて光Ｌは集光されている。このため、図２（ｂ）に示す表示装置１００において透過領域６２への入射角度が大きな光Ｌ１の成分は少なく、光Ｌが光路長形成部５０を通過することで生じる散乱光が視野角制限シート６０から漏れ出して視野角θを極視野カットオフ角φ以上に拡大することはない。
【００４２】
具体的には、視野角制限方向にみて、発光ダイオード１２の外縁と光開口部４２の前面側の内縁とを結ぶ直線と、発光ダイオード１２の光軸方向と、の為す角（制限角φ０）は、極視野カットオフ角φよりも小さい。ここで、光開口部４２の内縁とは、発光ダイオード１２の中心をとおり視野角制限方向に延在する平面（図２（ｂ）に示す断面）内における光開口部４２の内周位置であり、発光ダイオード１２の外縁とは上記平面内における発光ダイオード１２の外周位置である。発光ダイオード１２の光軸を外れた外周側から放射される拡散光は、パターンシート４０の光開口部４２で制限角φ０以下に遮光される。そして、上記のように制限角φ０が極視野カットオフ角φよりも小さいため、透過領域６２への入射角度が大きな光Ｌ１の成分は人間が視認困難な程度に更にカットされる。これにより、表示装置１００の視野角θを更に抑制することができる。
【００４３】
ここで、本実施形態の表示装置１００においては、視野角制限方向にみて、光開口部４２の開口幅が、視野角制限シート６０における透過領域６２のピッチの３倍以上である。これにより、１個の光開口部４２には、２個またはそれ以上の透過領域６２が対向することになるため、個々の透過領域６２への平均入射角度は、透過領域６２ごとに大きくばらつく。たとえば、発光ダイオード１２の正面に位置する透過領域６２への平均入射角度は約零度（発光ダイオード１２の光軸方向と平行）である。このため、透過領域６２を透過する際の屈折の影響を無視することができる。このことは、光源１０が液晶表示装置や有機ＥＬデバイスのように、個々の画素が目視できない程度に微小であって画素の開口幅が透過領域６２の繰り返しピッチと同等またはそれ以下である場合についても同様である。これに対し、本実施形態の表示装置１００のように光開口部４２に対応して発光ダイオード１２が個別に設けられている場合、発光ダイオード１２の正面以外の位置に存在する透過領域６２への平均入射角度は、発光ダイオード１２の光軸方向と平行ではなく、光軸方向に対して傾斜する。このため、このような透過領域６２に入射した光Ｌは屈折の影響を有意に受けて極視野カットオフ角φを増大させる。
【００４４】
図３は表示装置２００の拡大図であり、透過領域６２を透過する光Ｌ１、Ｌ２を示す模式図である。保護シート７０は図示省略している。光Ｌ１は、透過領域６２で屈折せずに最大傾斜角度φ１で視野角制限シート６０をまっすぐ通過する光を表している。光Ｌ２は、透過領域６２で屈折して視野角制限シート６０を通過する光を表している。透過領域６２は空気よりも屈折率が大きい透明樹脂材料からなるため、透過領域６２の内部を最大傾斜角度φ１で通過する光Ｌ２は、これよりも大きな出射角度φ２（＞φ１）で透過領域６２から出射する。この光Ｌ２の出射角度が視野角制限シート６０の極視野カットオフ角φとなる。すなわち、光Ｌ１（Ｌ２）の平均入射角度が大きい透過領域６２においては極視野カットオフ角φも大きくなり、視野角制限シート６０の視野角制限機能は低下する。
本実施形態の表示装置１００のように光開口部４２の開口幅が透過領域６２のピッチの３倍である場合は、いずれかの透過領域６２が光開口部４２の中心に正対して平均入射角度が約零度となったとしても、隣接する他の透過領域６２の平均入射角度は非零度となる。３倍を超える場合は、更に大きな平均入射角度で光Ｌが入射する透過領域６２が発生する。これにより、当該他の透過領域６２においては、光Ｌの屈折によって当該隣接方向に極視野カットオフ角φが拡張する。このため、本実施形態においては、視野角制限シート６０単体では視野角制限機能を十分に得ることができない。これに対し、上述のようにパターンシート４０と視野角制限シート６０との間に光路長形成部５０を設けることで、表示装置１００の視野角θを、視野角制限シート６０の極視野カットオフ角φよりも小さく制限することが可能となる。
【００４５】
光路長形成部５０は、パターンシート４０の光開口部４２と視野角制限シート６０の透過領域６２との間に光路長Ｐを設ける手段である。光路長Ｐは光Ｌが通過する物理距離であって、空隙でもよく、または光透過性の材料で充填されていてもよい。本実施形態の光路長形成部５０は中実の板状であるが、これに代えて、光路長形成部５０を光路長Ｐの厚みをもつ中空の枠体状に形成し、これを視野角制限シート６０の外周部の背面に装着してもよい。これにより、視野角制限シート６０とパターンシート４０との間に光路長Ｐの厚みをもつ空隙が形成される。
【００４６】
本実施形態の光路長形成部５０は、視野角制限シート６０よりも厚み寸法が大きい光透過性のスペーサ部材である。より具体的には、本実施形態の光路長形成部５０は、光源１０が放射する光Ｌと同色系の有色のスペーサ部材である。光路長Ｐが空隙ではなくスペーサ部材で充填されていることで、視野角制限シート６０が保護シート７０と光路長形成部５０とで挟持されて物理的に保護される。また、光開口部４２を通過した光Ｌの一部は、光路長形成部５０（スペーサ部材）で吸収されてから視野角制限シート６０の透過領域６２に入射する。このとき、光路長形成部５０が光Ｌと同色系であることで、光Ｌの主成分の波長は光路長形成部５０で実質的に吸収されず、これと異色の副成分の波長が光路長形成部５０で吸収される。このため、光Ｌの視認性を損なうことなく光強度を抑制し、視野角制限シート６０からの漏れ光を低減して表示装置１００の視野角θを小さく制限することができる。一例として、発光ダイオード１２として赤色発光ダイオードを用い、光路長形成部５０として赤色の透明樹脂材料を用いることができる。このほか、光路長形成部５０として無色の透明樹脂材料を用い、その前面または背面に、赤色などに着色された印刷層を形成してもよい。
【００４７】
光路長形成部５０の厚み寸法、すなわち光路長形成部５０が形成する光路長Ｐの長さは特に限定されない。表示装置１００の視野角θを視野角制限シート６０の極視野カットオフ角φよりも有意に小さくするためには、視野角制限シート６０よりも厚み寸法が大きいことが好ましく、収容プレート２０およびパターンシート４０の合計厚さよりも厚み寸法が大きいことが更に好ましい。具体的には、光路長形成部５０の厚み寸法は１ｍｍ以上１０ｍｍ以下、好ましくは２ｍｍ以上５ｍｍ以下とすることができる。実施例を用いて後述するように、光路長形成部５０の厚み（光路長Ｐ）を大きくすることで表示装置１００の視野角θを低減することができる。また、光路長形成部５０の厚みの上限を上記の範囲とすることで表示装置１００の全厚寸法が過大になることが抑制される。このため、表示装置１００が装着される機器（図６に示す自動販売機１２０など）からの突出寸法を抑制することができる。
【００４８】
光路長形成部５０は、視野角制限シート６０とは別部材として作成されて視野角制限シート６０の背面側に設けられる。光路長形成部５０を視野角制限シート６０と一体成形する場合、視野角制限シート６０の厚み寸法の制御が困難となり、透過領域６２および不透過領域６４を所望の精度で作成することが困難となる。これに対し、光路長形成部５０を視野角制限シート６０と別部材にすることで視野角制限シート６０の作成精度が向上する。また、視野角制限シート６０を共通部材としつつ、表示装置１００に求める視野角θの大小により光路長形成部５０の厚みを選択することが可能になる。
また、上述したように光開口部４２の中心に正対する透過領域６２の平均入射角度は約零度であるのに対し、光開口部４２の中心から離間した位置に正対する透過領域６２の平均入射角度は非零度であり、光Ｌは透過領域６２に斜めに入射する。これに対し、視野角制限シート６０を光路長形成部５０と別部材にすることで、視野角制限シート６０の背面と光路長形成部５０の前面との間には空気界面が存在することとなる。このため、透過領域６２の背面に対して斜めに入射する光Ｌの一部は、この空気界面で反射して透過領域６２に入射しない。そして、平均入射角度が大きい光Ｌほど、空気界面で多く反射する。このため、視野角制限シート６０と光路長形成部５０との間に空気界面があることで、光開口部４２の中心から離間した透過領域６２に入射する光Ｌの光強度が抑制されるため、視野角制限シート６０からの漏れ光が低減される。言い換えると、光路長形成部５０を視野角制限シート６０と別部材とすることで、表示装置１００の視野角θをより小さく制限することができる。
【００４９】
保護シート７０は、視野角制限シート６０を物理的に保護する耐候性の部材である。一例としてアクリル樹脂などの透明樹脂材料で作製することができる。保護シート７０の厚み寸法は特に限定されないが、１ｍｍ以上５ｍｍ以下など、視野角制限シート６０よりも肉厚にすることが好ましい。これにより、ユーザの手指の押圧力や、風雨とともに飛来する枝や小石などの衝突物の衝撃力が視野角制限シート６０に局所的に負荷されることを防止することができる。ただし、表示装置１００の全体的な厚み寸法の低減の観点から、保護シート７０の厚み寸法を、光路長形成部５０の厚み寸法より小さくしてもよい。
【００５０】
カバー部材８０は上記の各要素を物理的に保護する部材である。カバー部材８０は、自動販売機１２０の筐体１２２（図６を参照）などの他の機器に対して表示装置１００を取り付けるための取付部８６（図４各図を参照）を備えていてもよい。カバー部材８０の前面は開口しており、カバー部材８０と保護シート７０との前面同士が面一になるように設けられている。
【００５１】
以上説明した本実施形態の表示装置１００によれば、視野角制限シート６０の背面側に光路長Ｐを形成することで、視野角制限シート６０が固有に備える極視野カットオフ角φよりも小さな視野角θに制限することができる。このため、視野角制限シート６０の製造コストを上げることなく簡易な方法で覗き見防止効果を高めることができる。
【００５２】
＜情報入力装置＞
図４（ａ）は本発明の実施形態にかかる情報入力装置１１０の一部切欠斜視図である。図４（ｂ）は情報入力装置１１０の内部構造を示す一部切欠斜視図である。図５は本実施形態の情報入力装置１１０の分解斜視図である。
【００５３】
本実施形態の情報入力装置１１０は、上記の表示装置１００とセンサシート３０とを備えている。センサシート３０は、光源１０から放射された光Ｌを透過させ、タッチ操作により情報の入力を受け付ける手段である。すなわち、本実施形態の情報入力装置１１０は、表示装置１００に対して情報入力機能を付与したものであり、背面側から光源１０、収容プレート２０、パターンシート４０、光路長形成部５０、視野角制限シート６０および保護シート７０を積層構成したものである点で表示装置１００と共通している。したがって、センサシート３０に関する説明を除き、情報入力装置１１０という場合は表示装置１００の意味を包含するものである。
【００５４】
情報入力装置１１０の用途は特に限定されず、自動取引装置のほか、モバイル機器や座席モニター、更に後述する自動販売機１２０などに広く用いることができる。
【００５５】
本実施形態の情報入力装置１１０は、上述のように最前面に耐候性の保護シート７０を備えており、屋外に設置される自動販売機１２０に好適に用いられる。耐候性の観点から保護シート７０に十分な厚みを付与することで、タッチ操作した指の押圧力は保護シート７０で拡散される。このため、センサシート３０には抵抗膜方式や表面弾性波方式のようにセンサシート３０の局所位置に押圧力を付与する必要がある検知方式ではなく、静電容量式のような非接触式の検知方式を採用することが好ましい。
【００５６】
センサシート３０を静電容量式とすることで、センサシート３０をパターンシート４０よりも背面側に配置することができる。これにより、パターンシート４０の光開口部４２を通過した光Ｌがセンサシート３０を通過することなく視野角制限シート６０に入射する。このため、センサシート３０の透明電極部や配線パターン（図示せず）で光Ｌが散乱したとしても、これをパターンシート４０の光開口部４２で集光することにより、光開口部４２が形成する表示要素のアウトラインが明瞭なままユーザに視認されることとなる。また、センサシート３０をパターンシート４０と収容プレート２０とで挟持することで、光開口部４２に対するセンサシート３０の透明電極部の位置合わせ精度が良好となる。
【００５７】
カバー部材８０は、上カバー８２と下カバー８４とからなる。下カバー８４の背面側には取付部８６が突出形成されている。取付部８６は、センサシート３０および光源１０から延出する配線類（図示せず）を収容する筒状をなし、自動販売機１２０の筐体１２２に嵌合固定される。
【００５８】
光源１０は、基板１４と、この基板１４に実装された発光ダイオード１２（図１を参照）および導光板１６とを備える。導光板１６は、所定の面積で発光する平面発光部であり、パターンシート４０の複数の光開口部４２が合わさって形成される所定面積の表示要素を点灯状態とする。
【００５９】
光路長形成部５０は、互いに異なる色を有する光透過性の第一領域５２および第二領域５４を備えている。ここで、異なる色の一方は無色を含む。第一領域５２は発光ダイオード１２に対向する領域であり、発光ダイオード１２と同色系（赤色）に着色されている。第二領域５４は導光板１６に対向する領域であり無色透明である。光路長形成部５０が異なる色の複数の領域を有することで、パターンシート４０の光開口部４２が形成する表示要素４６を多色に表示することができる。
【００６０】
本実施形態の情報入力装置１１０および表示装置１００において、パターンシート４０の光開口部４２は、７セグメントディスプレイタイプ（以下、単に７セグともいう）の表示に対応している。具体的には、７個の光開口部４２は数字の８の字状に配置され、当該７個の光開口部４２によって一つの表示要素４６が構成されている。収容プレート２０の収容凹部２２は、光開口部４２に対応する位置および形状に形成されており、収容凹部２２には発光ダイオード１２が収容されている。調整部９２（図７を参照）が個々の発光ダイオード１２を点灯または点滅させることで、表示要素４６は例えばアラビア数字の０から９までの１０通りの形態で視認可能となる。センサシート３０の透明電極部（図示せず）は、表示要素４６に対応する位置に配置されている。
【００６１】
光源１０は、表示要素４６が示す文字（数字）の並び順が、予め定められた順序（たとえば昇順）と認識しうるように、複数個の発光ダイオード１２の一部を点灯させる。光源１０は、情報入力装置１１０の操作ごとに、または所定の時間間隔ごとに、表示要素４６が示す文字の並び順が変更するように発光ダイオード１２の点灯と消灯とを切り替えてもよい。または、表示要素４６が示す文字の並び順を変更することを指示するユーザのタッチ操作を受け付けて、光源１０は発光ダイオード１２の点灯と消灯とを切り替えてもよい。このとき、予め定められた複数通りの配列パターンに従って表示要素４６が示す文字の並び順を変更してもよく、またはランダムに生成された並び順に変更してもよい。
【００６２】
光開口部４２の個々の形状は特に限定されないが、本実施形態では細長六角形状または矩形状とすることができる。光開口部４２の短径寸法は人間の目視で視認可能な寸法であり、具体的には０．５ｍｍ以上２ｍｍ以下とすることができる。光開口部４２の長径寸法は、２ｍｍ以上５ｍｍ以下とすることができる。本実施形態の視野角制限シート６０における透過領域６２のピッチは５０μｍ以上１００μｍ以下であり、視野角制限方向にみて、光開口部４２の視野角制限方向の開口幅は、透過領域６２のピッチの３倍以上であり、より具体的には１０倍以上である。
【００６３】
本実施形態の情報入力装置１１０によれば、表示要素４６の視野角θが、視野角制限シート６０の極視野カットオフ角φよりも小さく制限される。このため、ユーザがタッチ操作している表示要素４６をユーザの側方から他者が覗き見ることが規制される。このため、本実施形態の情報入力装置１１０は、暗証コードなどのセキュリティ情報や個人情報などのプライバシー情報を入力する用途で好適に用いられる。以下、情報入力装置１１０の用途の一例として、成人認証式の自動販売機１２０について説明する。
【００６４】
＜自動販売機＞
図６は本発明の実施形態にかかる自動販売機１２０の一例を示す正面図である。図７は自動販売機１２０の機能ブロック図である。
【００６５】
本実施形態の自動販売機１２０は、上述した情報入力装置１１０と、この情報入力装置１１０を前面に保持する筐体１２２と、を備えている。筐体１２２の内部には、商品Ｇを収容する商品収容部１２４、および収容された商品Ｇを筐体１２２の前面側に払い出す商品払出機構１２６が設けられている。
【００６６】
筐体１２２の前面には、商品Ｇのサンプルまたは商品Ｇを示す画像が表示されている。このほか、筐体１２２の前面には商品取出口１２８、コイン投入部１４１、紙幣投入部１４２、カード読み書き部１４３および照度センサー９０が設けられている。
【００６７】
本実施形態の自動販売機１２０で払い出される商品Ｇは、たばこ商品である。商品Ｇ（たばこ商品）は銘柄ごとに整列して商品収容部１２４に収容されており、ユーザのボタン選択を契機として、払出処理部１４０の制御により商品払出機構１２６が駆動されて商品Ｇが商品取出口１２８に払い出される。
【００６８】
本実施形態の自動販売機１２０は、ユーザの成人認証により商品Ｇ（たばこ商品）の購入者適格を判定する。
【００６９】
自動販売機１２０は、情報保持部１３２、コード読取部１３３、照合部１３４および成人認証部１３６を備えている。
情報保持部１３２は、タッチ操作によりセンサシート３０に入力された入力情報を保持する。コード読取部１３３は、暗証コードおよび暗号化された生年月日情報を記憶するＩＣカード２１０から暗証コードを読み取る。照合部１３４は、情報保持部１３２に保持された入力情報と、コード読取部１３３に読み取られた暗証コードと、を照合する。そして、コード読取部１３３は、照合部１３４の照合結果に基づいて、復号された生年月日情報をＩＣカード２１０から取得する。成人認証部１３６は、取得された生年月日情報に基づいて、ＩＣカード２１０の保有者であるユーザの成人認証を行う。
【００７０】
ＩＣカード２１０は、保有者の生年月日情報を記憶するＩＣタグを備えるカードである。具体的には、運転免許証のように公的に発行された身分証明書であり、ＲＦＩＤ（Radio Frequency Identification）タグが埋設されている。生年月日情報は公開鍵暗号方式で暗号化されてＩＣカード２１０に記憶されている。ＩＣカード２１０には、例えば４桁の数字などの暗証コードが設定されている。また、ＩＣカード２１０には、照合判定可能な残回数が読み書き可能に記録されている。残回数の初期値は、例えば３回である。
【００７１】
はじめに、自動販売機１２０を操作するユーザは、情報入力装置１１０に表示される表示要素４６（図４（ｂ）を参照）を選択してタッチすることにより、センサシート３０における対応する透明電極部に情報を入力する。かかるタッチ操作により４桁の数字を入力する。情報解析部１３１は、センサシート３０へのタッチ操作を検出して、入力された４桁の数字を入力情報として取得する。取得された入力情報は情報保持部１３２で一時的に保持される。
【００７２】
筐体１２２の前面に搭載されたカード読み書き部１４３は、コード読取部１３３および回数書込部１３５からなる。コード読取部１３３は、ＩＣカード２１０に記録された残回数が１回以上である場合、カード読み書き部１４３にかざされたＩＣカード２１０から暗証コードとおよび暗号化された生年月日情報を読み取る。照合部１３４は、情報保持部１３２に保持された入力情報と、コード読取部１３３に読み取られた暗証コードと、を照合して一致判定を行う。入力情報と暗証コードが一致していると判定された場合、照合部１３４は入力情報を秘密鍵として用いて生年月日情報を復号する。なお、復号された生年月日情報をコード読取部１３３がＩＣカード２１０から取得するとは、上記のように暗号化された生年月日情報をコード読取部１３３が取得して照合部１３４がこれを復号する場合のほか、照合部１３４の照合結果に基づいて、ＩＣカード２１０において復号された生年月日情報をコード読取部１３３が読み取る場合を含む。
【００７３】
なお、入力情報と暗証コードが不一致であると判定された場合、回数書込部１３５はＩＣカード２１０に記録されている残回数を減算して書き込む。ＩＣカード２１０に記録された残回数が零回になった場合、ＩＣカード２１０はロックされ、コード読取部１３３により暗証コードとおよび暗号化された生年月日情報を読み取る処理は禁止される。
【００７４】
成人認証部１３６は現時点の日付情報を保有している。成人認証部１３６は、この日付情報とコード読取部１３３が取得した生年月日情報とに基づいて、ＩＣカード２１０の保有者が成人であるか否かを判定する成人認証を行う。保有者が成人であると成人認証部１３６が判定した場合、成人認証部１３６は払出処理部１４０に対して商品Ｇの購入を許可する購入許可情報を送信する。払出処理部１４０は、購入許可情報を受信すると、商品Ｇのボタン選択をユーザから受け付けて商品払出機構１２６を駆動して商品Ｇを払い出すとともに、コイン投入部１４１または紙幣投入部１４２から投入された金銭との差額を釣り銭として払い出す。
【００７５】
以上の処理により、ＩＣカード２１０を用いてユーザの成人認証を行った上で商品Ｇ（たばこ商品）の購入処理が行われる。
【００７６】
本実施形態の自動販売機１２０が備える情報入力装置１１０は、表示要素４６を表示して暗証コードのタッチ操作を受け付ける。このため、ユーザがタッチしている表示要素４６が他者に覗き見られないように視野角θを制限することで情報セキュリティが確保される。
【００７７】
自動販売機１２０が屋外に設置された場合、日中は情報入力装置１１０に多くの太陽光が入射して光源１０の発光が視認しづらくなる。一方で、夜間は情報入力装置１１０（表示装置１００）に発光表示される表示要素４６の視認性が高まるため、ユーザの側方から他者が表示要素４６を覗き見ることが容易になってしまう。
【００７８】
これに対し、本実施形態の自動販売機１２０は、周囲の照度を検知する照度センサー９０と、照度センサー９０の検知結果に基づいて光源１０の光度を増減調整する調整部９２と、を備えている。調整部９２は、検知された照度と正の相関をもって光源１０の光度を増減調整する。これにより、周囲の照度が高い日中における光源１０の光度に比して、周囲の照度が低い夜間における光源１０の光度を自動的に低減することができる。
【００７９】
照度センサー９０は、自動販売機１２０の筐体１２２の正面に設けられている。これにより、自動販売機１２０の天面、背面および側面が壁等で覆われている場合も自動販売機１２０の周囲の照度を正確に判定することができる。なお、調整部９２が光源１０の光度を増減調整するとは、光源１０への通電量や発光ダイオード１２の点灯数など、光源１０の光度（カンデラ）と正の相関をもつパラメータを増減させることをいう。調整部９２は、照度センサー９０が検知した照度に比例して光源１０の光度を増減させてもよく、または所定の関数に従って光源１０の光度を増減させてもよい。この関数は連続的でもよく、または複数段階に離散的に設定されたものでもよい。
【００８０】
本実施形態の自動販売機１２０によれば、情報入力装置１１０の視認性を損なうことなく覗き見防止効果を高めることができる。
【００８１】
なお、本発明は上述の実施形態に限定されるものではなく、本発明の目的が達成される限りにおける種々の変形、改良等の態様も含む。
【００８２】
上記実施形態では表示装置１００の最前面に保護シート７０が設けられる態様を例示したが、本発明はこれに限られない。保護シート７０の前面に半透過性の吸光フィルム（スモークフィルム）を被着してもよい。これにより、日中における太陽光の反射を防止して表示要素４６の視認性を向上することができる。また、表示要素４６の輝度が抑制されるため、夜間にユーザの側方から他者が表示要素４６を覗き見ることが抑制される。
【００８３】
また、視野角制限シート６０と保護シート７０との間、または保護シート７０の前面には、隣接する表示要素４６同士を隔てる不透過性の遮蔽要素を備える遮蔽シート（図示せず）を配置してもよい。遮蔽要素は、一方向に延びる帯状としてもよく、または直交する二方向に延びるマトリクス状でもよい。遮蔽要素により表示要素４６同士を隔てることで、パターンシート４０の光開口部４２を通過した光Ｌが拡散して表示要素４６から光漏れが生じたとしても、かかる光漏れを遮蔽要素で遮光することができる。これにより、表示要素４６がより明瞭に視認される。
【００８４】
また、上記実施形態では照度センサー９０および調整部９２を自動販売機１２０に設けることを例示したが、これに限られない。照度センサー９０および調整部９２を情報入力装置１１０に搭載し、自動販売機以外で屋外設置される各種の機器（たとえば入構ゲートなど）に情報入力装置１１０を適用してもよい。
【００８５】
＜実施例＞
以下、実施例を用いて本発明を説明する。図２（ｂ）に示した表示装置１００を用いて、視野角θを２０度、４５度または６０度とする斜方視をした場合の表示要素４６の視認性を測定した。保護シート７０には、厚さ２．３ｍｍの無色透明のアクリル樹脂製の板を用いた。視野角制限シート６０には、厚さ０．５ｍｍの住友スリーエム社製のプライバシーフィルター（スタンダード）を用いた。光路長形成部５０（スペーサ部材）には、赤色に着色したポリカーボネート樹脂製の板を用い、厚さを２．７ｍｍ、２．４ｍｍ、１．８ｍｍ、１．２ｍｍの４通りとした。表示要素４６には７個の光開口部４２からなる７セグを用いた。７個の表示要素４６に対応する発光ダイオード１２を暗所にて全点灯させ、数字の８の字の形状に表示要素４６を発光させた。かかる表示要素４６を斜方視した結果を下の表１に示す。
【００８６】
下表において、「◎」、「○」、「△」、「−」は、数字の識別困難性の程度の順を表している。具体的には、数字がぼやけて識別不可能であった場合を「◎」、数字がかなりぼやけているがかろうじて識別できた場合を「○」、数字が少しぼやけているが識別できた場合を「△」、数字が明瞭に視認できた場合を「−」とした。
【００８７】
【表１】
2015191093.tif 000003
【００８８】
視野角θが２０度の斜方視では、表示要素４６のぼやけや識別困難性は発生せず明瞭に視認できた。一方、視野角θが４５度および６０度の斜方視では、表示要素４６のぼやけおよび識別困難性が発生して視認が困難になった。また、光路長形成部５０（スペーサ部材）の厚さを増大することで視野角制限機能が向上することが分かった。以上の結果から、表示装置１００によれば、正面視に近い視野角θ（２０度）では表示要素４６を明瞭に視認でき、かつ所定の角度（４５度）を超える視野角θでは表示要素４６を視認困難に視野角制限できることが分かった。
【００８９】
本発明の表示装置１００、情報入力装置１１０および自動販売機１２０の各種の構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００９０】
上記実施形態は、以下の技術思想を包含するものである。
（１）光を放射する光源と、前記光源の前面側に配置され、所定の形状の複数の光開口部が分散して形成された遮光性のパターンシートと、前記パターンシートの前面側に配置され、透過領域と不透過領域とが所定のピッチで繰り返して形成されており前記透過領域を透過する光の視野角を所定の極視野カットオフ角以下に制限する視野角制限シートと、前記パターンシートと前記視野角制限シートとの間に設けられ、前記光開口部と前記透過領域との間に光路長を設けることにより前記視野角を前記極視野カットオフ角よりも小さく制限する光路長形成部と、前記視野角制限シートの前面側に配置された光透過性の保護シートと、を備える表示装置。
（２）前記光路長形成部は、前記視野角制限シートよりも厚み寸法が大きい光透過性のスペーサ部材である上記（１）に記載の表示装置。
（３）前記光路長形成部は、前記光源が放射する前記光と同色系の有色のスペーサ部材である上記（１）または（２）に記載の表示装置。
（４）前記光源は、前記光開口部の開口方向を光軸方向とする複数の発光ダイオードを含み、前記パターンシートの背面側に配置され、前記発光ダイオードを個々に収容する収容凹部を有するとともに前記発光ダイオードが放射する光を前記光軸方向に集光する収容プレートを更に備える上記（１）から（３）のいずれか一項に記載の表示装置。
（５）前記視野角の制限方向にみて、前記光開口部の開口幅が前記視野角制限シートにおける前記透過領域の前記ピッチの３倍以上である上記（４）に記載の表示装置。
（６）前記視野角の制限方向にみて、前記発光ダイオードの外縁と前記光開口部の前面側の内縁とを結ぶ直線と、前記光軸方向と、の為す角が前記極視野カットオフ角よりも小さい上記（４）または（５）に記載の表示装置。
（７）上記（１）から（６）のいずれか一項に記載の表示装置と、前記光源から放射された前記光を透過させ、タッチ操作により情報の入力を受け付けるセンサシートと、を備える情報入力装置。
（８）前記センサシートが前記パターンシートよりも背面側に配置されている上記（７）に記載の情報入力装置。
（９）上記（７）または（８）に記載の情報入力装置と、前記情報入力装置を前面に保持する筐体と、前記筐体の内部に設けられた、商品を収容する商品収容部および収容された前記商品を前記筐体の前面側に払い出す商品払出機構と、を備える自動販売機。
（１０）周囲の照度を検知する照度センサーと、前記照度センサーの検知結果に基づいて前記光源の光度を増減調整する調整部と、を備え、前記調整部は、検知された前記照度と正の相関をもって前記光度を増減調整する上記（９）に記載の自動販売機。
（１１）前記タッチ操作により前記センサシートに入力された入力情報を保持する情報保持部と、暗証コードおよび暗号化された生年月日情報を記憶するＩＣカードから前記暗証コードを読み取るコード読取部と、前記情報保持部に保持された前記入力情報と、前記コード読取部に読み取られた前記暗証コードと、を照合する照合部と、を備え、かつ、前記コード読取部は、前記照合部の照合結果に基づいて復号された前記生年月日情報を取得し、取得された前記生年月日情報に基づいて前記ＩＣカードの保有者の成人認証を行う成人認証部を更に備えることを特徴とする上記（９）または（１０）に記載の自動販売機。
（１２）前記商品がたばこ商品である上記（１１）に記載の自動販売機。
【符号の説明】
【００９１】
１０        光源
１２        発光ダイオード
１４        基板
１６        導光板
２０        収容プレート
２２        収容凹部
２４        遮光部
３０        センサシート
４０        パターンシート
４２        光開口部
４４        遮光領域
４６        表示要素
５０        光路長形成部
５２        第一領域
５４        第二領域
６０        視野角制限シート
６２        透過領域
６４        不透過領域
７０        保護シート
８０        カバー部材
８２        上カバー
８４        下カバー
８６        取付部
９０        照度センサー
９２        調整部
１００      表示装置
１１０      情報入力装置
１２０      自動販売機
１２２      筐体
１２４      商品収容部
１２６      商品払出機構
１２８      商品取出口
１３１      情報解析部
１３２      情報保持部
１３３      コード読取部
１３４      照合部
１３５      回数書込部
１３６      成人認証部
１４０      払出処理部
１４１      コイン投入部
１４２      紙幣投入部
１４３      カード読み書き部
２００      表示装置（比較例）
２１０      ＩＣカード
θ、θ１      視野角
φ          極視野カットオフ角
φ０        制限角
φ１        最大傾斜角度
φ２        出射角度
Ｇ          商品
Ｌ、Ｌ１、Ｌ２    光
Ｐ          光路長
【図１】
2015191093.tif 000004
【図２】
2015191093.tif 000005
【図３】
2015191093.tif 000006
【図４】
2015191093.tif 000007
【図５】
2015191093.tif 000008
【図６】
2015191093.tif 000009
【図７】
2015191093.tif 000010